(57)【要約】【課題】先細り形状に絞られた容器の注出ノズルから、詰替え用の内容物を、漏れ出させることなく容易に容器に移し替えることを可能にする詰替え用パウチを提供する。【解決手段】少なくとも２枚の側壁フィルム１１を重ね合わせて周縁部分をシール接合２２することにより袋状に形成されると共に、収容部１３に詰替え用の内容物を収容し、先細り形状の注出ノズル１７を備える容器１８に対して用いる詰替え用パウチ１０であって、先端部分１４ａを切り取ることによって注出開口１６が形成される注出突部１４を備えており、注出突部１４の収容部１３から注出開口１６に向かう注出流路１９が、容器１８の注出ノズル１７の先細り形状に沿うように先太り状に形成されている。また、注出突部１４の収容部１３に向かう注出流路１９の内周面に沿って、形状保持部材２０が取り付けられる。【選択図】図４
2007276811.tif 000002
【特許請求の範囲】
【請求項１】
少なくとも２枚のフィルムを重ね合わせて周縁部分を接合することにより袋状に形成されると共に、収容部に詰替え用の内容物を収容し、先細り形状の注出ノズルを備える容器に対して用いる詰替え用パウチであって、
先端部分を切り取ることによって注出開口が形成される注出突部を備えており、該注出突部の前記収容部から前記注出開口に向かう注出流路が、前記容器の注出ノズルの先細り形状に沿うように先太り状に形成される詰替え用パウチ。
【請求項２】
前記注出突部の収容部から注出開口に向かう前記注出流路の内周面に沿って、形状保持部材が取り付けられる請求項１記載の詰替え用パウチ。
【請求項３】
請求項１又は２に記載の詰替え用パウチの前記注出突部の先端部分を切り取ることによって注出開口を形成し、該注出開口から前記注出流路に前記容器の先細り形状の注出ノズルを挿入すると共に、前記詰替え用パウチを倒立させて、前記収容部に収容された詰替え用の内容物を前記注出ノズルを介して前記容器に注出する内容物の詰替え方法。
【発明の詳細な説明】
【技術分野】
【０００１】
本発明は、詰替え用パウチ及び該詰替え用パウチによる内容物の詰替え方法に関する。
【背景技術】
【０００２】
近年、環境への配慮等から、例えば液体、粘体、粉体等の流動性を有する内容物を収容したボトル容器や注出容器等の容器は、内容物を使い切った後も廃棄することなく、内容物を詰替えながら長期間に亘って使用することが望まれている。容器に詰替えるための内容物を収容した詰替え用容器として、パウチが多用されている。詰替え用パウチは、例えば２枚のフィルムを、好ましくは自立性を付与するために底壁フィルムを挟み込みつつ重ね合わせると共に、周縁部分をシールして簡易な袋状の容器として形成されるものであり、収容された内容物を、周縁部分に設けた注出突部の先端部分を切り取ることによって形成した注出開口から容器に注出させるようになっている。
【０００３】
また、詰替え用パウチとして、ボトル容器などへの移し替えを容易に行えるようにしたもの（例えば、特許文献１参照）や、注出ノズルを備える容器への詰替えを手放しで行えるようにしたもの（例えば、特許文献２参照）も開発されている。
【特許文献１】特開平１１−７９１９５号公報
【特許文献２】特開２００３−２６７４０３号公報
【発明の開示】
【発明が解決しようとする課題】
【０００４】
一方、液体、粘体、粉体等の流動性を有する内容物を収容した容器から、ポイントを定めて精度良く内容物を吐出させるには、容器に注出ノズルを設けると共に、先端の注出口に向けて注出ノズルを細く絞っておくことが好ましく、注出ノズルを例えば切頭円錐形状等の先細り形状に形成することが行われている。容器の注出ノズルが先細り形状の場合、詰替え用パウチから容器の内部に内容物を詰替えようとしても、容器の注出ノズルの注出口が細く絞られているため、詰替え用パウチの注出開口から内容物を容器に流入させることが難しい。また容器の注出ノズルを詰替え用パウチの注出開口から注出突部の内側に挿入する場合、容器の注出ノズルは先細り形状であるため、先細形状の詰替え用パウチの注出突部を嵌め合わせることは困難である。
【０００５】
本発明は、先細り形状に絞られた容器の注出ノズルから、詰替え用の内容物をこぼれ落ちたり漏れ出たりさせることなく容易に容器に移し替えることを可能にする詰替え用パウチ及び内容物の詰替え方法を提供することを目的とする。
【課題を解決するための手段】
【０００６】
本発明は、少なくとも２枚のフィルムを重ね合わせて周縁部分を接合することにより袋状に形成されると共に、収容部に詰替え用の内容物を収容し、先細り形状の注出ノズルを備える容器に対して用いる詰替え用パウチであって、先端部分を切り取ることによって注出開口が形成される注出突部を備えており、該注出突部の前記収容部から前記注出開口に向かう注出流路が、前記容器の注出ノズルの先細り形状に沿うように先太り状に形成される詰替え用パウチを提供することにより、上記目的を達成したものである。
【０００７】
また、本発明は、前記詰替え用パウチの前記注出突部の先端部分を切り取ることによって注出開口を形成し、該注出開口から前記注出流路に前記容器の先細り形状の注出ノズルを挿入すると共に、前記詰替え用パウチを倒立させて、前記収容部に収容された詰替え用の内容物を前記注出ノズルを介して前記容器に注出する内容物の詰替え方法を提供することにより、上記目的を達成したものである。
【発明の効果】
【０００８】
本発明の詰替え用パウチ又は内容物の詰替え方法によれば、先細り形状に絞られた容器の注出ノズルから、詰替え用の内容物を、こぼれ落ちたり漏れ出たりさせることなく容易に容器に移し替えることができる。また、詰替え用パウチの注出流路の内周面に沿って形状保持部材を取り付ければ、より安定した状態で詰替え用の内容物を容器に移し替えることができる。
【発明を実施するための最良の形態】
【０００９】
図１に示す本発明の好ましい一実施形態に係る詰替え用パウチ１０は、例えばポリエチレン等の可撓性のフィルム材料からなる一対の側壁フィルム１１と底壁フィルム１２とを、その周縁部分を例えば融着や貼着による接合部２２としてシールして袋状に一体化し、内容物として例えば詰替え用の液体を収容する収容部１３を形成するものである。また、本実施形態の詰替え用パウチ１０の上端角部には、縁部から斜め上方に突出する注出突部１４が設けられており、この注出突部１４の先端部分を図２に示す切り取り線１５に沿って切り取ることにより、当該先端部分に詰替え用の液体を注出させるための注出開口１６が開口形成される。
【００１０】
そして、本実施形態の詰替え用パウチ１０は、少なくとも２枚の側壁フィルム１１を重ね合わせて周縁部分を例えばシール接合することにより袋状に形成されると共に、収容部１３に詰替え用の液体を収容し、先細り形状の注出ノズル１７を備える容器１８（図４参照）に対して用いる詰替え用パウチであって、先端部分１４ａ（図２参照）を切り取ることによって注出開口１６が形成される注出突部１４を備えており、この注出突部１４における袋内部の収容部１３から注出開口１６に向かう注出流路１９が、容器１８の注出ノズル１７の先細り形状に沿うように先太り状に形成されている。
【００１１】
ここで、本実施形態では、先細り形状の注出ノズル１７を備える容器１８は、例えば特開２０００−１２８２０７号公報に記載の液体注出容器と略同様の構成を備えるものであり、図４に示すように、容器本体１８ａの口首部１８ｂには、注出ノズル１７を一体成形した本体キャップ２１が装着されている。また本体キャップ２１には、さらに計量キャップ（図示せず。）が着脱可能に装着され、注出ノズル１７から計量キャップに液体洗剤等の内容液を注入して計量しながら、収容部１３に収容した内容液を適量づつ使用できるようになっている。そして注出ノズル１７は、計量キャップに内容液を注入し易いように、先端側が絞られた先細り形状に形成されている。尚、計量キャップは、使用者が容易に着脱できるように本体キャップ２１に螺着されていることが好ましく、また計量キャップを回転させて着脱する際の本体キャップ２１の共まわりを防ぐため、本体キャップ２１は、容器本体１８ａの口首部１８ｂに回転不能に嵌合されることが好ましい。本体キャップ２１が容器本体１８ａの口首部１８ｂに嵌合されていると、本体キャップ２１を容器本体１８ａから容易に脱着することができないが、本実施形態の詰替え用パウチ１０を用いることにより、先細り形状の注出ノズル２１を介してスムーズに内容液の詰替を行うことが可能になる。
【００１２】
本実施形態の詰替え用パウチ１０は、上述のような構成の容器１８に対して、内容物が少なくなった際に、本体キャップ２１を口首部１８ｂから取り外すことなく容器本体１８ａに取り付けたままの状態で、先端側が絞られた先細り形状の注出ノズル１７を介して、容易且つ効率良く内容物を詰替えることができるようにするものである。すなわち、従来の詰替え用パウチでは、これの収容部から注出突部内の注出流路を経て、先端開口から内容物を容器の投入口に精度良く注出することができるように、収容部側から先端開口に向けて先細り状に絞られた注出流路を注出突部に備えているのが一般的である。このような形態の従来の注出突部では、先細り方向が対向することになるため、注出ノズル１７を介して内容物を容器１８に詰替えることは困難である。本実施形態の詰替え用パウチ１０は、このような先細り形状の注出ノズル１７を備える容器１８の特性を鑑み、先細り形状の注出ノズル１７を介してスムーズに内容物を容器１８に詰替えることを可能にするものである。
【００１３】
そして、本実施形態の詰替え用パウチ１０では、注出突部１４は、図２に示すように、注出開口１６が形成されるまでは収容部１３と連通する側を除いてシール接合部２２によって囲まれて閉塞している。注出突部１４の先端部分１４ａを切り取って注出開口１６を形成し、形成した注出開口１６を押し広げて、注出突部１４を筒状の立体形状に変形させることにより、注出突部１４の内側に収容部１３から注出開口１６に向かって先太り状となった注出流路１９が形成される。形成された先太り状の注出流路１９は、先細り形状の注出ノズル１７の下方部分の外周面に沿った形状を有しており、容器１８の注出ノズル１７が注出開口１６から注出流路１９に挿入された際に、注出突部１４の内周面が、注出ノズル１７の下方部分の外周面に密着する。
【００１４】
このような状態で、例えば詰替え用パウチ１０を倒立させれば、注出ノズル１７を介して詰替え用の内容物がパウチ１０から容器１８の収容部１３に移し替えられて行くことになる。本実施形態では、収容部１３から注出開口１６に向かう先太り状の注出流路１９の内周面に沿って、図３に示すように、形状保持部材２０を着脱自在に取り付け、簡便かつ安定した状態で内容物を詰替える作業を行うことができる。
【００１５】
形状保持部材２０は、例えば金属材料や合成樹脂により筒状に形成された立体成形品であって、相当の保形剛性を備えている。また形状保持部材２０は、詰替え用パウチ１０の先太り状の注出流路１９の内周面に沿った外周面を備えており、注出開口１６から注出突部１４の内側に挿入配置された際に、注出突部１４の内周面に密着する。さらに、形状保持部材２０には、注出突部１４への挿入方向後端側の縁部に、係止フランジ２３が外側に張り出して環状に設けられている。この係止フランジ２３を、注出開口１６の開口端縁部に当接係止することにより、形状保持部材２０が注出突部１４に過度に挿入されるのを回避することが可能になる。さらにまた、形状保持部材２０の外周面の軸方向中間領域には、これの周方向に延設する一条の環状リブ２４が外側に突出して設けられている。この環状リブ２４を、注出突部１４の両側のシール接合部２２を内側から外側に向けて窪ませて設けた係止凹部２５（図４参照）に係止することにより、注出突部１４に挿入された形状保持部材２０を位置決め保持すると共に、形状保持部材２０が抜け落ちるのを効果的に回避することが可能になる。尚、詰替え用パウチ１０は、注出突部１４の内周面に周方向に延びる環状突部を内側に突出して設けることによって、形状保持部材２０の抜けを防止することもできる。
【００１６】
注出突部１４は、形状保持部材２０が取り付けられることにより、先端部分１４ａを切り取った後の筒状の立体形状を強固に保持し、収容部１３から注出開口１６に向かう先太り状の注出流路１９を内側から安定保持して、注出ノズル１７をさらに挿入し易くすることが可能になる。また注出ノズル１７の外周面を形状保持部材２０による注出流路１９の内周面にさらに液密に密着させて、シール性を向上させることが可能になる。
【００１７】
上述の構成を備える本実施形態の詰替え用パウチ１０では、図４に示すように、好ましくは形状保持部材２０を取り付けた注出突部１４の注出開口１６から、容器１８の先細り形状の注出ノズル１７を注出流路１９に挿入すると共に、好ましくは詰替え用パウチ１０を倒立させて、収容部１３に収容された詰替え用の液体を、注出ノズル１７を介して容器１８に注出することによって移し替えることになる。本実施形態によれば、先細り形状に絞られた容器１８の注出ノズル１７から、詰替え用の液体を、漏れ出させることなく容易に容器１８に移し替えることが可能になる。すなわち、本実施形態によれば、注出突部１４に設けられた収容部１３から注出開口１６に向かう注出流路１９が、容器１８の注出ノズル１７の先細り形状に沿うように先太り状に形成されているので、注出ノズル１７の外周面を注出流路１９の内周面に液密に密着させることが可能になり、注出突部１４と注出ノズル１７とのシール性を確保して、詰替え用の液体を漏れ出させることなくスムーズに容器１８に詰替えることが可能になる。
【００１８】
なお、本発明は上記実施形態に限定されることなく種々の変更が可能である。例えば、パウチに収容される詰替え用の内容物は、液体である必要は必ずしもなく、粘体、粉体等のその他の流動性を有するものであっても良いし、洗浄剤、柔軟剤、糊剤、食品等の様々な種類の内容物を収容することが可能である。また、内容物が詰替えられる容器は、内容物を計量する機能を有する液体注出容器に限定されることなく、先細り形状の注出ノズルを備えるその他の種々の容器に対して本発明の詰替え用パウチを適用することもできる。
【００１９】
さらに、形状保持部材は、先端部分を切り取って注出開口を形成した後に注出突部に着脱自在に取り付けて用いる必要は必ずしもなく、例えば図５（ａ），（ｂ）に示すように、予め注出突部１４に形状保持部材２０を取り付けた状態で詰替え用パウチ１０を製品化し、形状保持部材２０による注出開口１６’を覆うシール蓋２６を引き剥がして詰替えを行うようにしても良い。さらにまた、図６に示すように、形状保持部材２０の外周面に、軸方向に縦断して例えば蛇腹部からなる弾性変形部２７を設けておき、形状保持部材２０の外周形状を径方向に伸縮変形可能として、注出突部１４への装着を容易にすると共に、注出突部１４の形状に柔軟に対応できるようにすることもできる。
【図面の簡単な説明】
【００２０】
【図１】本発明の好ましい一実施形態に係る詰替え用パウチの側面図である。
【図２】本発明の好ましい一実施形態に係る詰替え用パウチの注出開口を形成する前の状態を説明する要部側面図である。
【図３】本発明の好ましい一実施形態に係る詰替え用パウチの注出突部に形状保持部材を取り付ける状態を説明する要部側面図である。
【図４】本発明の好ましい一実施形態に係る詰替え用パウチを用いて容器に内容物を詰替える状態を説明する要部側面図である。
【図５】（ａ），（ｂ）は、詰替え用パウチの他の形態を説明する要部側面図である。
【図６】形状保持部材の他の形態を例示する斜視図である。
【符号の説明】
【００２１】
１０  詰替え用パウチ
１１  側壁フィルム
１２  底壁フィルム
１３  収容部
１４  注出突部
１４ａ  注出突部の先端部分
１５  切り取り線
１６  注出開口
１７  注出ノズル
１８  容器
１９  注出流路
２０  形状保持部材
２１  本体キャップ
２２  シール接合部
２３  係止フランジ
２４  環状リブ
２５  係止凹部
【図１】
2007276811.tif 000003
【図２】
2007276811.tif 000004
【図３】
2007276811.tif 000005
【図４】
2007276811.tif 000006
【図５】
2007276811.tif 000007
【図６】
2007276811.tif 000008